(57)【要約】【課題】  撮影された画像データが何処で撮影されたものか、またどの方向に向かって撮影されたものかを容易に確認可能とする。【解決手段】  携帯電話１０は、撮影機能により写真を撮影する際、ＧＰＳ機能により取得した自身の位置情報（撮影場所）および方位取得機能により取得した撮影方向を示す方位情報を、地図情報提供サービスサーバ５へ自動的に送信し、自身の位置情報と方位とがマーキングされた地図データを取得するためのＵＲＬを取得する。携帯電話１０は、取得したＵＲＬを、撮影した画像データに対応付けて保存する。携帯電話１０は、撮影した画像データを表示する際、該画像データに対応付けられているＵＲＬに従って、自身の位置情報と方位とがマーキングされた地図データを取得して表示する。【選択図】  図１
2005039702.tif 000002
【特許請求の範囲】
【請求項１】
撮影手段と、
この撮影手段による撮影時の位置を示す位置情報を取得する位置情報取得手段と、
前記撮影手段の撮影方向を示す方位情報を取得する方位情報取得手段と、
前記位置情報取得手段により取得した位置情報と前記方位情報取得手段により取得した方位情報とを外部の地図情報データベースに送信する第１の送信手段と、
この第１の送信手段により送信された位置情報と方位情報とに応答して、前記地図情報データベースより送信される撮影位置および撮影方向とが明示された地図データとこの地図データの保存場所を示すアドレス情報を取得する情報取得手段と、
前記撮影手段により撮影した画像データと前記情報取得手段により取得したアドレス情報とを他の情報端末に無線送信する第２の送信手段と
を具備することを特徴とする情報端末。
【請求項２】
前記情報取得手段によって取得された撮影位置および撮影方向とが明示された地図データを表示する表示手段を更に具備することを特徴とする請求項１記載の情報端末。
【請求項３】
撮影ステップと、
この撮影ステップにて撮影された位置を示す位置情報を取得する位置情報取得ステップと、
前記撮影ステップにて撮影された撮影方向を示す方位情報を取得する方位情報取得ステップと、
前記位置情報取得ステップにて取得した位置情報と前記方位情報取得ステップにて取得された方位情報とをネットワーク上の地図情報提供サーバに送信する第１の送信ステップと、
この第１の送信ステップにて送信された位置情報と方位情報とに応答して、前記地図情報データベースより送信される撮影位置および撮影方向とが明示された地図データとこの地図データの保存場所を示すアドレス情報を取得する情報取得ステップと、
前記撮影手段により撮影した画像データと前記情報取得ステップにて取得したアドレス情報とを他の情報端末に無線送信する第２の送信ステップと
からなることを特徴とするデータ送信方法。
【請求項４】
前記情報取得ステップにて取得された撮影位置および撮影方向とが明示された地図データを表示部に表示させる表示ステップを更に含むことを特徴とする請求項３記載のデータ送信方法。
【請求項５】
撮影部にて撮影された位置を示す位置情報を取得する位置情報取得ステップと、
前記撮影部にて撮影された撮影方向を示す方位情報を取得する方位情報取得ステップと、
前記位置情報取得ステップにて取得した位置情報と前記方位情報取得ステップにて取得された方位情報とをネットワーク上の地図情報提供サーバに送信する第１の送信ステップと、
この第１の送信ステップにて送信された位置情報と方位情報とに応答して、前記地図情報データベースより送信される撮影位置および撮影方向とが明示された地図データとこの地図データの保存場所を示すアドレス情報を取得する情報取得ステップと、
前記撮影手段により撮影した画像データと前記情報取得ステップにて取得したアドレス情報とを他の情報端末に無線送信する第２の送信ステップと
をコンピュータに実行させることを特徴とするデータ送信プログラム。
【請求項６】
前記情報取得ステップにて取得された撮影位置および撮影方向とが明示された地図データを表示部に表示させる表示ステップを更に含むことを特徴とする請求項５記載のデータ送信プログラム。
【発明の詳細な説明】
【技術分野】
【０００１】
本発明は、情報端末、データ送信方法およびデータ送信プログラムに関する。
【背景技術】
【０００２】
従来、カメラ付き携帯電話やデジタルカメラと携帯電話とを組み合わせたシステムでは、撮影を行なった場合、ＧＰＳなどにより撮影場所の位置情報（緯度／経度）を画像データと関連付けて保存する技術が知られている（例えば特許文献１参照）。
【０００３】
当該従来技術では、撮影手段を有するデジタルカメラと、位置検出手段を有する携帯電話とを用いて、デジタルカメラにより撮影されたが画像データを携帯電話に取り込み、携帯電話の位置検出手段により検出した位置情報を関連付けてデータベースに送信して保存するようになっている。
【０００４】
【特許文献１】特開２００２−３６６５６５号公報
【発明の開示】
【発明が解決しようとする課題】
【０００５】
ところで、従来技術では、上述したように、撮影した画像データと撮影場所を示す位置情報とを関連付けて保存するようになっている。しかしながら、位置情報だけでは、その画像がどこで撮影されたものか簡単には分からない。また、位置情報に従って地図データを取得し、該地図データ上に撮影場所をマーキングして表示するようにしたとしても、その撮影場所からどちらの方向を撮影したのかが分からない。結局、被写体自体に関する情報を得ることができず、何を、あるいは何処を撮影したか分からないという問題があった。
【０００６】
そこで本発明は、撮影された画像データが何処で撮影されたものか、またどの方向に向かって撮影されたものかが容易に確認することができる情報端末、データ送信方法およびデータ送信プログラムを提供することを目的とする。
【課題を解決するための手段】
【０００７】
上記目的達成のため、請求項１記載の発明による情報端末は、撮影手段と、この撮影手段による撮影時の位置を示す位置情報を取得する位置情報取得手段と、前記撮影手段の撮影方向を示す方位情報を取得する方位情報取得手段と、前記位置情報取得手段により取得した位置情報と前記方位情報取得手段により取得した方位情報とを外部の地図情報データベースに送信する第１の送信手段と、この第１の送信手段により送信された位置情報と方位情報とに応答して、前記地図情報データベースより送信される撮影位置および撮影方向とが明示された地図データとこの地図データの保存場所を示すアドレス情報を取得する情報取得手段と、前記撮影手段により撮影した画像データと前記情報取得手段により取得したアドレス情報とを他の情報端末に無線送信する第２の送信手段とを具備することを特徴とする。
【０００８】
また、好ましい態様として、例えば請求項２記載のように、請求項１記載の情報端末において、前記情報取得手段によって取得された撮影位置および撮影方向とが明示された地図データを表示する表示手段を更に具備するようにしてもよい。
【０００９】
また、上記目的達成のため、請求項３記載の発明によるデータ送信方法は、撮影ステップと、この撮影ステップにて撮影された位置を示す位置情報を取得する位置情報取得ステップと、前記撮影ステップにて撮影された撮影方向を示す方位情報を取得する方位情報取得ステップと、前記位置情報取得ステップにて取得した位置情報と前記方位情報取得ステップにて取得された方位情報とをネットワーク上の地図情報提供サーバに送信する第１の送信ステップと、この第１の送信ステップにて送信された位置情報と方位情報とに応答して、前記地図情報データベースより送信される撮影位置および撮影方向とが明示された地図データとこの地図データの保存場所を示すアドレス情報を取得する情報取得ステップと、前記撮影手段により撮影した画像データと前記情報取得ステップにて取得したアドレス情報とを他の情報端末に無線送信する第２の送信ステップとからなることを特徴とする。
【００１０】
また、好ましい態様として、例えば請求項４記載のように、請求項３記載のデータ送信方法において、前記情報取得ステップにて取得された撮影位置および撮影方向とが明示された地図データを表示部に表示させる表示ステップを更に含むようにしてもよい。
【００１１】
また、上記目的達成のため、請求項５記載の発明によるデータ送信プログラムは、撮影部にて撮影された位置を示す位置情報を取得する位置情報取得ステップと、前記撮影部にて撮影された撮影方向を示す方位情報を取得する方位情報取得ステップと、前記位置情報取得ステップにて取得した位置情報と前記方位情報取得ステップにて取得された方位情報とをネットワーク上の地図情報提供サーバに送信する第１の送信ステップと、この第１の送信ステップにて送信された位置情報と方位情報とに応答して、前記地図情報データベースより送信される撮影位置および撮影方向とが明示された地図データとこの地図データの保存場所を示すアドレス情報を取得する情報取得ステップと、前記撮影手段により撮影した画像データと前記情報取得ステップにて取得したアドレス情報とを他の情報端末に無線送信する第２の送信ステップとをコンピュータに実行させることを特徴とする。
【００１２】
また、好ましい態様として、例えば請求項６記載のように、請求項５記載のデータ送信プログラムにおいて、前記情報取得ステップにて取得された撮影位置および撮影方向とが明示された地図データを表示部に表示させる表示ステップを更に含むようにしてもよい。
【発明の効果】
【００１３】
請求項１記載の発明によれば、位置情報取得手段により、撮影手段による撮影時の位置を示す位置情報を取得するとともに、方位情報取得手段により、前記撮影手段の撮影方向を示す方位情報を取得し、第１の送信手段により、前記位置情報取得手段により取得した位置情報と前記方位情報取得手段により取得した方位情報とを外部の地図情報データベースに送信し、情報取得手段により、この第１の送信手段により送信された位置情報と方位情報とに応答して、前記地図情報データベースより送信される撮影位置および撮影方向とが明示された地図データとこの地図データの保存場所を示すアドレス情報を取得し、第２の送信手段により、前記撮影手段により撮影した画像データと前記情報取得手段により取得したアドレス情報とを他の情報端末に無線送信するようにしたので、撮影された画像データが何処で撮影されたものか、またどの方向に向かって撮影されたものかを容易に確認することができるという利点が得られる。
【００１４】
また、請求項２記載の発明によれば、前記情報取得手段によって取得された撮影位置および撮影方向とが明示された地図データを表示手段に表示するようにしたので、撮影された画像データが何処で撮影されたものか、またどの方向に向かって撮影されたものかを容易に確認することができるという利点が得られる。
【００１５】
また、請求項３記載によれば、位置情報取得ステップで、撮影ステップにて撮影された位置を示す位置情報を取得するとともに、方位情報取得ステップで、前記撮影ステップにて撮影された撮影方向を示す方位情報を取得し、第１の送信ステップで、前記位置情報取得ステップにて取得した位置情報と前記方位情報取得ステップにて取得された方位情報とをネットワーク上の地図情報提供サーバに送信し、情報取得ステップで、この第１の送信ステップにて送信された位置情報と方位情報とに応答して、前記地図情報データベースより送信される撮影位置および撮影方向とが明示された地図データとこの地図データの保存場所を示すアドレス情報を取得し、第２の送信ステップで、前記撮影手段により撮影した画像データと前記情報取得ステップにて取得したアドレス情報とを他の情報端末に無線送信するようにしたので、撮影された画像データが何処で撮影されたものか、またどの方向に向かって撮影されたものかを容易に確認することができるという利点が得られる。
【００１６】
また、請求項４記載の発明によれば、更に、表示ステップで、前記情報取得ステップにて取得された撮影位置および撮影方向とが明示された地図データを表示部に表示させるようにしたので、撮影された画像データが何処で撮影されたものか、またどの方向に向かって撮影されたものかを容易に確認することができるという利点が得られる。
【００１７】
また、請求項５記載によれば、撮影部にて撮影された位置を示す位置情報を取得する位置情報取得ステップと、前記撮影部にて撮影された撮影方向を示す方位情報を取得する方位情報取得ステップと、前記位置情報取得ステップにて取得した位置情報と前記方位情報取得ステップにて取得された方位情報とをネットワーク上の地図情報提供サーバに送信する第１の送信ステップと、この第１の送信ステップにて送信された位置情報と方位情報とに応答して、前記地図情報データベースより送信される撮影位置および撮影方向とが明示された地図データとこの地図データの保存場所を示すアドレス情報を取得する情報取得ステップと、前記撮影手段により撮影した画像データと前記情報取得ステップにて取得したアドレス情報とを他の情報端末に無線送信する第２の送信ステップとをコンピュータに実行させるようにしたので、撮影された画像データが何処で撮影されたものか、またどの方向に向かって撮影されたものかを容易に確認することができるという利点が得られる。
【００１８】
また、請求項６記載の発明によれば、更に、表示ステップで、前記情報取得ステップにて取得された撮影位置および撮影方向とが明示された地図データを表示部に表示させるようにしたので、撮影された画像データが何処で撮影されたものか、またどの方向に向かって撮影されたものかを容易に確認することができるという利点が得られる。
【発明を実施するための最良の形態】
【００１９】
以下、本発明の実施の形態を、携帯電話に適用した一実施例として、図面を参照して説明する。
【００２０】
Ａ．実施形態の構成
図１は、本発明の実施形態による通信システムの構成を示すブロック図である。図において、携帯電話（情報端末）１０ａ，１０ｂは、ＧＰＳ衛星４からの電波を受信することで自身の位置情報（緯度経度）を取得するＧＰＳ機能と、カメラにより画像を撮影する撮影機能と、撮影した方向を示す方位情報を検知する方位取得機能と、メールサーバ１０３、２０３にメールを送受信する機能とを備え、該撮影機能により撮影した画像データを添付したメールを送受信する。なお、以下では、携帯電話１０ａを送信側、携帯電話１０ｂを受信側として説明する。
【００２１】
該携帯電話１０ａは、撮影機能により画像を撮影する際、ＧＰＳ衛星４より取得した自身の位置情報（撮影場所）および方位取得機能により取得した撮影方向を示す方位情報を、無線基地局８ａ、通信サービス事業者（インターネットプロバイダを含む）１のＷｅｂサーバ１０２、及び、ＷＷＷ（Ｗｏｒｌｄ  ｗｉｄｅ  ｗｅｂ）７を介して、地図情報提供サービスシステム５へ自動的に送信し、自身の位置情報と方位とがマーキングされた地図データを取得するためのＵＲＬを取得する。また、携帯電話１０ａは、取得したＵＲＬを、フォルダ名、撮影日時、撮影地点、撮影者などの付属データとともに、撮影した画像データに対応付けて保存する一方、当該画像データをメールに添付して送信する場合、メールに上記ＵＲＬ、付属データをも添付するようになっている。
【００２２】
また、携帯電話１０ｂは、画像データが添付されたメールを受信すると、添付されている画像データを表示する際、該画像データに対応付けられているＵＲＬに従って、無線基地局８ｂ、通信サービス事業者（インターネットプロバイダを含む）１のＷｅｂサーバ１０２、及び、ＷＷＷ７を介して、地図情報提供サービスシステム５にアクセスし、上述したように、自身の位置情報と方位とがマーキングされた地図データを取得して、地図データと画像データと切換可能に表示するようになっている。
【００２３】
通信サービス事業者１は、主なサービスとして提供している携帯電話サービス（同じサービスを受ける携帯電話１０同士、あるいは、公衆回線網９に接続し、音声通話を実現させるサービス）に必要とする交換機１０４の他、後述のＷＷＷ７に接続するためのシステム（Ｗｅｂサーバ１０２、ルータ１０５）、メールシステム（メールサーバ１０３）を備えている。そしてこれらの構成により、無線基地局８ａ、８ｂをアクセスポイントとして、携帯電話１０ａ、１０ｂをＷＷＷ７に接続させるための機能を備えている。
【００２４】
一方、インターネットサービスプロバイダ２は、主なサービスとして提供しているインターネット接続サービスに必要とするサービス管理サーバ２０１、ＷＷＷ７に接続するためのシステム（Ｗｅｂサーバ２０２、ルータ２０４）、メールシステム（メールサーバ２０３を備えている。そしてこれらの構成により、パーソナルコンピュータ（ｘＤＳＬ、光ファイバ通信用のモデムを含む）３をＷＷＷ７に接続させるための機能を備えている。
【００２５】
尚、本実施の形態の特徴として、携帯電話１０ａ、１０ｂ同士では、撮影機能により撮影した画像データを添付したメールを送受信・表示するが、携帯電話１０ａ、１０ｂからパーソナルコンピュータ３に上記メールを送信することもできる。すなわち、本実施の形態におけるプログラムは、一般に知られるメールソフトと互換性を持っている。
【００２６】
地図情報提供サービスシステム５は、サービス管理サーバ５０１、Ｗｅｂサーバ５０２、ゲートウエイサーバ５０３、及び、ルータ５０４等で構成されるとともに、全国の地図情報を地図情報データベース６に蓄積しており、無線基地局８ａ、通信サービス事業者１（Ｗｅｂサーバ１０３）、及び、ＷＷＷ７を介して、携帯電話１０ａから位置情報および方位情報を受信すると、該位置情報で示される座標と方位情報で示される方位とに従って、撮影場所と撮影方向とが容易に分かるようにマーキングした所定スケールの地図情報を作成し、所定のＵＲＬで示される保存場所に保存し、該ＵＲＬを携帯電話１０ａに送信する。また、地図情報提供サービスシステム５は、上記携帯電話１０ｂから所定のＵＲＬにアクセスがあると、該ＵＲＬに保存していた地図データを、ＷＷＷ７、Ｗｅｂサーバ１０３、無線基地局８ｂを介して携帯電話１０ｂに送信する。
【００２７】
次に、図２は、携帯電話１０ａ，１０ｂの回路構成を示すブロック図である。無線送受信部２０は、後述する制御部２２からの制御情報に従ってアンテナＡＴＮ１による無線信号の送受信タイミングを制御したり、自機宛の信号の送受信やＰＳＫ系の変復調を行い後段の無線信号処理部２１とデータの送受信を行う。無線信号処理部２１は、無線送受信部２０で受信したデータより、音声通信であれば、ＣＥＬＰ系符号化／復号化方式で変復調処理する他、メールデータや、ＵＲＬ接続等により取得した、ＷＷＷ７に接続されているデータベース（サーバ）上の各データであれば、パケット解除、及びパケット化する等、必要な処理をする。制御部２２は、各種動作および全体の動作を制御する。方位センサ１７は、撮像部（撮像レンズ１８、撮像モジュール１８１、ＤＳＰ１８２）による撮影方向を示す方位データを取得する。
【００２８】
画像メモリ２３は、撮像部（撮像レンズ１８、撮像モジュール１８１、ＤＳＰ１８２）で撮像され、画像処理プログラム領域２４１３に格納されたプログラムにより圧縮符号化された画像ファイルや、付属データ、ＵＲＬなどを格納するためのメモリである。ＲＯＭ２４は、書換可能なＦｌａｓｈ  ＲＯＭで構成され、各種プログラムを格納する。
【００２９】
ドライバ２５は、表示部１３を駆動させる。ドライバ２６は、サブ表示部１６を駆動させる。ＧＰＳ信号処理部２７は、米国国防省が打ち上げた少なくとも４個程度（それ以下でもよいが精度が低下する）のＧＰＳ衛星４から発信する電波（1.22760G／1.57542GHz）をＧＰＳアンテナＡＴＮ２により受信し、電波の位相（受信タイミングの違い）を計算し、更に近隣の無線基地局８ａ、８ｂとの交信により補正された現在位置の緯度・経度（・高度）情報からなる位置情報を取得する。ＲＯＭ２８は、制御部１８を制御する各種プログラムなどを格納する。ＲＡＭ２９は、情報端末として必要な各種データを記憶し、かつ制御部２５が動作する上で必要なデータを格納する。
【００３０】
音声信号処理部２００は、マイク１５から入力された音声信号を符号化処理して無線信号処理部２１へ出力したり、無線信号処理部２１から入力された通信相手からの音声信号を復号化してスピーカ１２を駆動させ、音声を出力する。撮像モジュール１８１は、ＣＣＤ、若しくはＣＭＯＳで構成され、カラー画像を取り込む。ＤＳＰ１８２は、撮像モジュール１８１に取り込まれた画像を符号化処理する。報知ドライバ１９２は、報音スピーカ１９、バイブレータ１９１、ＬＥＤ１７１を駆動させるためのドライバである。
【００３１】
次に、図３は、携帯電話１０ａ，１０ｂの外観の一例を示す図である。本実施形態における携帯電話１０ａ，１０ｂは、蓋部と本体部からなる二つ折り構造であり、図３（ａ）は、携帯電話１０ａ，１０ｂを開いた状態での正面図を示し、図３（ｂ）は、携帯電話１０ａ，１０ｂを開いた状態での背面図を示したものである。アンテナＡＴＮ１は、蓋部の背面に設けられており、伸縮自在となっている。スピーカ１２は、蓋部の前面側に設けられており、音声出力を行なう。表示部（メイン表示部）１３は、カラーＬＣＤで構成され、２４０ドット（幅）×３２０ドット（高さ）のＱＶＧＡクラスの解像度を備える。該表示部１３には、メールや撮影した画像（写真）を表示可能となっている。
【００３２】
キー操作部１４は、本体部の前面に設けられており、各種機能キーや、十字キー（４方向カーソルキー）、オフフックキー、オンフックキー、テンキーなどからなる。十字キーは、各機能において表示されたメニューの中から所望のメニューを選択したり、テンキーでデータを入力する際にデータ入力位置をシフトさせたりするためのものである。オフフックキーは通話を開始するためのものであり、オンフックキーは通話を終了するためのものである。テンキーは、電話番号や文字の入力の際に使用するものである。マイク１５は、本体部の下部に設けられており、音声入力を行なう。サブ表示部１６は、蓋部の背面に設けられている。撮像レンズ１８は、蓋部２の背面、上記サブ表示部１６の下部に設けられている。
【００３３】
次に、図４は、ＲＡＭ２９のメモリエリアの構成を示す概念図である。ＲＡＭ２９には、画像データ２９１毎に対応付けられて、該画像データが撮影された撮影場所と撮影方向とがマーキングされた地図データが格納されているＵＲＬ２９２、該画像データに関連する情報である付属データ２９３が格納されている。
【００３４】
Ｂ．実施形態の動作
次に、上述した実施形態による携帯電話１０ａおよび地図情報提供サービスサーバ５の動作について説明する。
【００３５】
Ｂ−１．撮影動作
まず、携帯電話１０ａでの撮影動作について説明する。ここで、図５は、撮影時における携帯電話１０と地図情報提供サービスシステム５との動作を説明するためのフローチャートである。携帯電話１０ａにおいて、ステップＳ１０で、撮像部（撮像レンズ１８、撮像モジュール１８１、ＤＳＰ１８２）により写真撮影が行なわれると、ステップＳ１２で、方位センサ１７から撮影方向を示す方位データを取得する。次に、ステップＳ１４で、ＧＰＳ信号処理部２７から位置情報（緯度、経度）を取得する。次に、ステップＳ１６で、自己の位置情報、方位データを、地図提供サービスシステム５に送信し、ステップＳ１８で、地図提供サービスシステム５からＵＲＬを取得したか否かを判断する。
【００３６】
地図提供サービスシステム５では、携帯電話１０ａから位置情報、方位データを受信すると、ステップＳ３０で、位置情報に従って地図情報データベース６から地図データを検索する。次に、ステップＳ３２で、位置情報に従って撮影位置を地図データ上にマークし、ステップＳ３４で、方位データに従って地図データ上に撮影方向をマークする。なお、本実施系形態では、撮影位置および撮影方向を１つのマークにより明示するようにしている（詳細は後述）。次に、ステップＳ３６で、地図データを所定のＵＲＬに保存し、ステップＳ３８で、該ＵＲＬを携帯電話１０ａに送信する。
【００３７】
携帯電話１０ａでは、地図提供サービスシステム５からＵＲＬを取得すると、ステップＳ２０で、付属データを取得（またはキー入力部１４から入力）し、ステップＳ２２で、撮影した画像データ、地図提供サービスシステム５から取得したＵＲＬおよび上記付属データをＲＡＭ２９へ保存する。
【００３８】
Ｂ−２．メール送信動作
次に、携帯電話１０ａでのメール送信動作について説明する。ここで、図６は、撮影した画像データをメールに添付して送信する際の携帯電話１０ａの動作を説明するためのフローチャートである。携帯電話１０ａでは、まず、ステップＳ５０で、メール本文、宛先（この場合、携帯電話１０ｂ）などを入力してメールを作成する。次に、ステップＳ５２で、メールに添付する画像データを選択する。画像データの選択は、例えば、ＲＡＭ２９に保存された画像データの一覧を表示し、その中から選択させる。
【００３９】
次に、画像データが選択されると、ステップＳ５４で、選択された画像データ、該画像データに関連付けて保存されていたＵＲＬ、同付属データをメールに添付する。次に、ステップＳ５６で、送信指示があったか否かを判断し、送信指示があると、ステップＳ５８で、上記メールを無線基地局８ｂ、通信回線網７を介して、図示しないメールサーバへ送信する。
【００４０】
Ｂ−３．メール受信動作
次に、携帯電話１０ｂでのメール受信動作について説明する。ここで、図７および図８は、メールの受信側である携帯電話１０ｂの動作を説明するためのフローチャートである。また、図９ないし図１１は、メールに添付されていた画像データの再生時における携帯電話１０ｂの表示例を示す模式図である。
【００４１】
携帯電話１０ｂにおいて、ステップＳ７０で、メールを受信すると、ステップＳ７２で、該メールの開封指示があったか否かを判断する。そして、開封指示があった場合には、ステップＳ７４で、メールの本文を表示する。次に、ステップＳ７６で、当該メールに画像データが添付されているか否かを判断し、画像データが添付されていない場合には、通常のメール開封動作を行なう。
【００４２】
一方、メールに画像データが添付されている場合には、ステップＳ７８で、図９に示すように、選択された画像データを表示部１３に表示する。表示部１３には、画像データが表示されるとともに、地図データの表示を指示する地図データボタン、付属データの表示を指示する付属ボタン、画像データの表示終了を指示する終了ボタンなどが表示される。
【００４３】
携帯電話１０ｂでは、次に、ステップＳ８０で、地図データボタンが選択されたか否かを判断し、地図データボタンが選択されると、ステップＳ８２で、現在表示している画像データに対応付けてメールに添付されているＵＲＬに従って地図データを取得する。次に、ステップＳ８４で、図１０（ａ）に示すように、地図データを表示部１３に表示する。地図データには、図１０（ａ）に示すように、撮影場所の座標とともに、撮影場所および撮影方向を示すマークが表示されている。マークは、図１０（ｂ）に示すように、撮影場所と撮影方向を示す。ユーザは、図９に示す画像データ（風景）が、何処でどちらの方向を撮影したのかを容易に視認することができる。その後、ステップＳ８０へ戻る。
【００４４】
次に、携帯電話１０ｂでは、画像データが表示された状態、もしくは地図データが表示された状態で、ステップＳ８６で、付属データボタンが選択された否かを判断する。そして、付属ボタンが選択されると、ステップＳ８８で、図１１に示すように、付属データを表示部１３に表示する。図１１に示す例では、画像データが表示されているときに付属データボタンが選択された場合であって、画像データ上に付属データが重ねて表示されている。図示しないが、図１０（ａ）に示すように、地図データが表示されているときに、付属データボタンが選択された場合には、地図データデータ上に付属データが重ねて表示される。その後、ステップＳ８０へ戻る。
【００４５】
また、携帯電話１０ｂでは、画像データ、地図データあるいはそれらに重ねて付属データが表示された状態で、ステップＳ９０で、画像データボタンが選択されたか否かを判断する。そして、画像データボタンが選択されると、ステップＳ７８に戻り、図９に示すように、画像データを表示部１３に表示する。一方、画像データボタンが選択されない場合には、ステップＳ９２で、終了ボタンが選択されたか否かを判断する。そして、終了ボタンが選択されなかった場合には、ステップＳ８０に戻り、上述した処理を繰り返す。
【００４６】
なお、上述した実施形態では、メールの受信側で、メールに添付されている画像データを表示する際の動作として、撮影場所および撮影方向を示すマークを付加した地図データを表示する動作例について説明したが、これに限らず、撮影した携帯電話１０ａ側での画像データ再生時に同様の動作を行なうようにしてもよい。
【００４７】
また、上述した実施形態では、地図データの保存場所であるＵＲＬをメールに添付する形態としたが、これに限らず、携帯電話１０ａで地図データを受信し、メールに地図データ自体を添付して送信するようにしてもよい。
【００４８】
また、携帯電話１０ａからは、画像データと、これに対応する位置情報と方位データとをメールに添付して送信し、携帯電話１０ｂでは、受信した位置情報と方位データとを地図情報提供サービスサーバ５に送信し、位置情報と方位情報とに基づいて撮影場所と撮影方向とが明示された地図データを受信して表示するようにしてもよい。
【図面の簡単な説明】
【００４９】
【図１】本発明の実施形態による通信システムの構成を示すブロック図である。
【図２】携帯電話１０の回路構成を示すブロック図である。
【図３】携帯電話１０の外観を示す図である。
【図４】ＲＡＭ２９のメモリエリアの構成を示す概念図である。
【図５】撮影時における携帯電話１０と地図情報提供サービスサーバ５との動作を説明するためのフローチャートである。
【図６】撮影した画像データの再生時における携帯電話１０の動作を説明するためのフローチャートである。
【図７】画像データの表示例を示す模式図である。
【図８】地図データの表示例を示す模式図である。
【図９】付属データの表示例を示す模式図である。
【図１０】メールに添付されていた画像データの再生時における携帯電話１０ｂの表示例を示す模式図である。
【図１１】メールに添付されていた画像データの再生時における携帯電話１０ｂの表示例を示す模式図である。
【符号の説明】
【００５０】
５  地図情報提供サービスシステム
６  地図情報データベース
７  通信回線網
８  基地局
１０  携帯電話（情報端末）
１１  アンテナ
１２  スピーカ
１３  表示部（表示手段）
１４  キー入力部
１５  マイク
１７  方位センサ（方位情報取得手段）
１８  撮像レンズ（撮影手段）
１８１  撮像モジュール（撮影手段）
１８２  ＤＳＰ
１９  報知スピーカ
２０  無線送受信部（第１の送信手段、第２の送信手段）
２１  無線信号処理部
２２  制御部（情報取得手段）
２３  画像メモリ
２４  ＦｌａｓｈＲＯＭ
２５  ドライバ
２６  ドライバ
２７  ＧＰＳ信号処理部（位置情報取得手段）
２８  システムＲＯＭ
２９  ＲＡＭ
１９２  ドライバ
２００  音声信号処理部
【図１】
2005039702.tif 000003
【図２】
2005039702.tif 000004
【図３】
2005039702.tif 000005
【図４】
2005039702.tif 000006
【図５】
2005039702.tif 000007
【図６】
2005039702.tif 000008
【図７】
2005039702.tif 000009
【図８】
2005039702.tif 000010
【図９】
2005039702.tif 000011
【図１０】
2005039702.tif 000012
【図１１】
2005039702.tif 000013